(57)【特許請求の範囲】
【請求項１】
仕切り壁であって、
少なくとも２つのスタンド１と、少なくとも１つのインナープレート３と、２つのアウタプレート４，５とを含み、
少なくとも２つの前記スタンド１は、互いに間隔を空けて設置され、第１パネル１１と、当該第１パネル１１に対応する第２パネル１２と、前記第１パネル１１と前記第２パネル１２とを連結する側板１３とをそれぞれ含み、
各前記スタンド１には、前記側板１３から一方向へ向けて突出する屈曲部１４がそれぞれ形成され、
前記屈曲部１４には、Ｕ字状の溝１４１が形成されるとともに、前記屈曲部１４の外側へ延びる側部から突出する延在板１４２が設けられ、
前記延在板１４２は、
前記側部と同一平面状となるように設けられるとともに前記第１パネル及び前記第２パネルのそれぞれと平行に設けられ、かつ、
前記溝１４１の中央板とともにＬ字体を構成し、
前記インナープレート３は、その水平方向における二辺が２つの前記スタンド１の間にそれぞれ固定されるように形成され、
前記インナープレート３の水平方向における一辺は、前記スタンド１の前記溝１４１内に挿入される一方、前記インナープレートの水平方向における他辺は、前記スタンド１の前記Ｌ字体によって位置決めされ、
２つの前記アウタプレート４，５は、前記スタンド１の前記第１パネル１１上と、前記スタンド１の前記第２パネル１２上とにそれぞれ貼り合わされ、
２つの前記アウタプレート４，５と前記インナープレート３との間には、２つの間隔空間６，７がそれぞれ形成されることを特徴とする仕切り壁。
【請求項２】
少なくとも１つの横桟２をさらに含み、
各前記スタンド１の前記側板１３は、前記溝１４１によって第１側板１３１及び第２側板１３２に仕切られ、
各前記スタンド１の前記第１側板１３１には、少なくとも１つの第１貫通孔１５１が開設され、
各前記スタンド１の前記第２側板１３２には、少なくとも１つの第２貫通孔１５２が開設され、
前記第１貫通孔１５１及び前記第２貫通孔１５２は、それぞれ、前記横桟２を挿通することが可能な形状を有することを特徴とする請求項１に記載の仕切り壁。
【請求項３】
水道電気管路がさらに配置され、
前記横桟２には、前記水道電気管路が通り抜けるためのマニホールド孔２０３が少なくとも１つ開設されることを特徴とする請求項２に記載の仕切り壁。
【請求項４】
２つの前記間隔空間は、それぞれ第１間隔空間６及び第２間隔空間７であり、
前記水道電気管路は、前記第１間隔空間６内及び前記第２間隔空間７内にそれぞれ配置され、かつ前記横桟２の前記マニホールド孔２０３を通り抜けることを特徴とする請求項３に記載の仕切り壁。
【請求項５】
前記屈曲部１４には、少なくとも１つの挿入孔１４３（１４３ａ）が開設され、
各前記スタンド１の前記延在板１４２は、少なくとも１つの位置決め部材１４４（１４４ａ）を含み、
各前記位置決め部材１４４（１４４ａ）は、前記側板１３の前記一方向に平行して各前記スタンド１の前記挿入孔１４３（１４３ａ）内に挿入され、
前記インナープレート３の二辺は、１つの前記スタンド１の前記溝１４１と前記位置決め部材１４４（１４４ａ）との間、及び他の１つの前記スタンド１の前記延在板１４２と前記位置決め部材１４４（１４４ａ）との間にそれぞれ挟着されることを特徴とする請求項１に記載の仕切り壁。
【請求項６】
各前記スタンド１の前記屈曲部１４には、前記溝１４１内から突出する弾性シート１７（１７ａ）が少なくとも１つ設置され、
前記インナープレート３は、前記屈曲部１４と前記弾性シート１７（１７ａ）との間に弾性的に挟着されることを特徴とする請求項１に記載の仕切り壁。
【請求項７】
前記インナープレート３は、遮音材料、防火材料または発泡材料から製造されたものであることを特徴とする請求項１に記載の仕切り壁。
【請求項８】
横桟構造をさらに含み、
各前記スタンド１の前記第１パネル１１、各前記スタンド１の前記第２パネル１２及び前記側板１３の間には、凹溝１６が形成され、
前記横桟構造は、横桟２と、前記横桟２の両端に設置される２つの引掛金具２３とを含み、
各前記引掛金具２３は、摩擦力を持つ引掛板体２３１を含み、
前記引掛板体２３１の少なくとも二辺は、摩擦によって各前記スタンド１の前記凹溝１６内に掛止して固定されることを特徴とする請求項１に記載の仕切り壁。
【発明の詳細な説明】
【技術分野】
【０００１】
本発明は、仕切り壁に関し、特に、建築に適用される仕切り壁に関する。
【背景技術】
【０００２】
建物内部の間仕切り壁や天井、床スラブ等、または、建物外部の外壁等は、仕切り壁に属する。以下では、間仕切り壁を例示して説明する。
従来技術では、施工時、まず、天井及び床に、対応する天井レール（梁）及び床レール（床梁）を設置し、次に、複数のＵ字状のスタンドを天井レールと床レールとの間に立設し、その後、これらのスタンドの一方側に第１アウタプレートを装着し、さらに、水道電気工事が完了した後、天井レール、床レール、スタンド及び第１アウタプレートの間に、遮音材料を設置し、最後、これらのスタンドの他方側に第２アウタプレートを装着する。
【０００３】
しかしながら、従来技術では、水道電気工事を行う場合、水道電気管路の配置により、遮音材料の対向する２つの面が互いに連通されることに起因して、遮音性能が十分に得られないという問題がある。
【０００４】
また、従来技術では、容易に施工できないという問題がある。具体的には、遮音材料を設置する場合、多くのねじロック部材で締める必要があるため、工事施工上の困難が発生する。また、水道電気管路を配置する場合には、遮音材料を破壊して二次加工を行う必要があるため、施工回数が増えることが発生する。こうすることで、施工期間が長くなるほか、容易に施工できないという従来の問題も顕著になっている。
【０００５】
なお、従来の横桟の両端は、貫通孔を介して最外側の２つのスタンドから突出するため、施工者により横桟を取り外さなければならないことがあって、工事施工上の困難及び不便が明らかになっている。さらに、もし横桟の両端を懸架すると、最外側のスタンドがいずれの横桟にも連結されず、スタンドの構造強度が弱くなり、スタンドを破壊してしまう虞れがあるため、横桟の両端を懸架することができない。
【発明の概要】
【発明が解決しようとする課題】
【０００６】
そこで、本発明は、仕切り壁を提供して、特殊な構造を利用して、インナープレートにより仕切られた２つの間隔空間を完全に遮断することで、従来よりも優れた遮音効果、及び容易に組み立てる施工効果を得ることを目的とする。
【課題を解決するための手段】
【０００７】
上記の目的を達成するために、本発明に係る仕切り壁は、少なくとも２つのスタンドと、少なくとも１つのインナープレートと、２つのアウタプレートとを含む。少なくとも２つの前記スタンドは、互いに間隔を空けて設置されるとともに、第１パネルと、当該第１パネルに対応する第２パネルと、前記第１パネルと前記第２パネルとを連結する側板とを含む。各前記スタンド１には、前記側板１３から一方向へ向けて突出する屈曲部１４がそれぞれ形成される。前記屈曲部１４には、Ｕ字状の溝１４１が形成されるとともに、前記屈曲部１４の外側へ延びる側部から突出する延在板１４２が設けられる。前記延在板１４２は、前記側部と同一平面状となるように設けられるとともに前記第１パネル及び前記第２パネルのそれぞれと平行に設けられ、かつ、前記溝１４１の中央板とともにＬ字体を構成する。前記インナープレートは、その水平方向における二辺が２つの前記スタンド１の間にそれぞれ固定されるように形成される。前記インナープレート３の水平方向における一辺は、前記スタンド１の前記溝１４１内に挿入される一方、前記インナープレートの水平方向における他辺は、前記スタンド１の前記Ｌ字体によって位置決めされる。２つの前記アウタプレートは、前記スタンドの前記第１パネル上と、前記スタンドの前記第２パネル上とにそれぞれ貼り合わされる。２つの前記アウタプレートと前記インナープレートとの間には、２つの間隔空間がそれぞれ形成される。
【発明の効果】
【００１０】
本発明は、従来技術に比べて、遮音性能が優れており、容易に組み立てることができる。
【図面の簡単な説明】
【００１１】
【図１】本発明の第１実施形態のスタンドの斜視図である。
【図２】本発明の第１実施形態のスタンドの断面図である。
【図３】本発明の第１実施形態において、２つのスタンドの第１パネル同士の間にアウタプレートを固定した場合の構造の断面図である。
【図４】本発明の第１実施形態において、２つのスタンドの間にインナープレートを組立てた場合の構造の分解斜視図である。
【図５】図４に示す構造の一部拡大図である。
【図６】図４のインナープレートを組立てた場合の構造の断面図である。
【図７】本発明の第１実施形態において、２つのスタンドの第２パネル同士の間に他のアウタプレートを固定した場合の構造の斜視図である。
【図８】図７に示す構造の断面図である。
【図９】本発明の他のスタンドの断面図である。
【図１０】本発明のまた他のスタンドの断面図である。
【図１１】本発明の第２実施形態の横桟の斜視図である。
【図１２】本発明の第２実施形態の、組立てられた後の構造の模式斜視図である。
【図１３】図１２に示す構造の断面図である。
【図１４】本発明の第３実施形態の、組立てられた後の構造の模式斜視図である。
【図１５】図１４に示す構造の断面図である。
【図１６】本発明の第３実施形態の横桟及びその引掛金具の分解斜視図である。
【図１７】図１６に示す構造の断面図である。
【図１８】本発明の第３実施形態において、引掛金具を介して横桟をスタンドに掛止した場合の構造の分解斜視図である。
【図１９】図１８に示す構造の模式断面図である。
【図２０】本発明の別の構造のスタンドの断面図である。
【図２１】本発明の施工方法の一実施形態を説明するフローチャートである。
【図２２】本発明の施工方法の他の実施形態を説明するフローチャートである。
【発明を実施するための形態】
【００１２】
本発明の詳細な説明及び技術内容は、添付した図面を参照することによって、より明確になる。ただし、図面は、参照および説明用に過ぎず、決して本発明を限定するものではないことを理解されたい。
【００１３】
本発明は、仕切り壁を提供する。図７は、本発明に係る仕切り壁の斜視図である。図８は、本発明に係る仕切り壁の断面図である。本発明に係る仕切り壁は、建物内部の間仕切り壁や天井、床スラブ等に適用されるほか、建物外部の外壁等にも適用されるが、これに限定されない。以下では、間仕切り壁を例示して説明する。
【００１４】
図１乃至図８は、本発明の第１実施形態に係る仕切り壁を示す。第１実施形態に係る仕切り壁は、複数のスタンド１と、複数のインナープレート３と、第１アウタプレート４及び第２アウタプレート５の２つのアウタプレートとを含んでいる。本実施形態において、仕切り壁は、複数の横桟２をさらに含んでいる。説明上の便宜のため、以下では、第１横桟２１（または第２横桟２２）と、インナープレート３と、第１アウタプレート４と、第２アウタプレート５とを１つずつ、及びスタンド１を２つ含む仕切り壁を例示して説明する。
【００１５】
２つのスタンド１は、天井レール（図示せず）と床レール（図示せず）との間に互いに間隔を空けて設置されている。この天井レール及び床レールは、建物の天井（図示せず）及び床（図示せず）にそれぞれ固定されている。各スタンド１は、第１パネル１１と、第１パネル１１に対応する第２パネル１２と、第１パネル１１及び第２パネル１２を連結する側板１３とを含んでいる。側板１３から一方向に屈曲部１４が突出して形成され（図２の場合、屈曲部１４は左側へ突出されている）、これにより、屈曲部１４に対応して溝１４１が側板１３に形成されている。側板１３の一方向に、延在板１４２が屈曲部１４から延びて形成されている。
【００１６】
本実施形態において、各スタンド１の側板１３は、溝１４１によって第１側板１３１と第２側板１３２とに仕切られている。第１側板１３１には、少なくとも１つの第１貫通孔１５１（図１及び図４を参照）が開設されている。第２側板１３２には、少なくとも１つの第２貫通孔１５２が開設されている。横桟２は、２つのスタンド１の間に選択的に挿通され、例えば、第１横桟２１が２つのスタンド１の第１貫通孔１５１同士の間に挿通されたり（図４を参照）、第２横桟２２が２つのスタンド１の第２貫通孔１５２同士の間に挿通されたり（図示せず）する。または、図７に示すように、第１横桟２１と第２横桟２２を交互にして第１貫通孔１５１同士の間及び第２貫通孔１５２同士の間に挿通してもよい。さらに、第１横桟２１を第１貫通孔１５１同士の間に挿通するとともに、第２横桟２２を第２貫通孔１５２同士の間に挿通してもよい（図示せず）。第１横桟２１及び第２横桟２２は、２つのスタンド１を固定させるほか、複数のスタンド１の第１パネル１１を面一にするとともに、複数のスタンド１の第２パネル１２を面一にして、第１アウタプレート４及び第２アウタプレート５を容易に固定することができる。
【００１７】
インナープレート３は、左右対向する二辺を有する。インナープレート３の左辺は、１つのスタンド１の溝１４１内に挿入され、一方、インナープレート３の右辺は、他のスタンド１の延在板１４２上に位置決めされている。各スタンド１の延在板１４２は、少なくとも１つの位置決め部材１４４に対応している。この位置決め部材１４４は、屈曲部１４とインナープレート３との間に螺着される螺合部材（図示せず）、例えば、図に示すピンであってもよい。本実施形態では、ピンを例として説明する。
【００１８】
図５に示すように、各スタンド１の屈曲部１４には、位置決め部材１４４を挿入するための挿入孔１４３が少なくとも１つ開設されている。位置決め部材１４４は、側板１３の一方向に平行してスタンド１の挿入孔１４３内に挿入されている。これにより、インナープレート３の左辺は、スタンド１（左側に位置する）の溝１４１と位置決め部材１４４との間に挟着され、一方、インナープレート３の右辺は、他のスタンド１（右側に位置する）の延在板１４２と他の位置決め部材１４４との間に挟着されている。
【００１９】
詳細には、図６に示すように、インナープレート３を取り付ける場合には、まず、インナープレート３の左辺を左側のスタンド１の溝１４１内に挿入し、次に、インナープレート３の右辺を右側のスタンド１の延在板１４２に当接させ、その後、位置決め部材１４４を２つのスタンド１の挿入孔１４３内に挿入することにより、上述したように、インナープレート３の二辺を挟着してインナープレート３を固定する。同じ位置決め部材１４４は、単一のスタンド１の溝１４１と延在板１４２とに同時に作用することができ、即ち、図６に示す左側のスタンド１のように、左側のインナープレート３の右辺と右側のインナープレート３の左辺とを同時に挟着することができる。
【００２０】
第１アウタプレート４は、複数のスタンド１の第１パネル１１同士の間に固定されている。第２アウタプレート５は、複数のスタンド１の第２パネル１２同士の間に固定されている。これにより、第１アウタプレート４とインナープレート３との間及び第２アウタプレート５とインナープレート３との間には、間隔空間がそれぞれ形成されている。詳細には、第１アウタプレート４とインナープレート３との間には、第１間隔空間６が形成され、第２アウタプレート５とインナープレート３との間には、第２間隔空間７が形成されている。第１間隔空間６内及び第２間隔空間７内には、水道電気管路（図示せず）を配置することが可能であり、インナープレート３を破壊しなくても水道電気管路を配置することが可能である。言い換えれば、第１間隔空間６と第２間隔空間７とは、完全に連通していない。また、第１間隔空間６と第２間隔空間７との間は、インナープレート３によって完全に遮断されるため、従来技術に比べて優れた遮音性能を備える。特に、インナープレート３が遮音材料から製造された場合、本発明の仕切り壁の対向する２つの面の間は、最適な遮音性を備える。当然ながら、インナープレート３は、防火材料または発泡材料から製造されてもよいが、これに限定されない。
【００２１】
また、本発明に係る仕切り壁は、充填材（図示せず）をさらに含むことができる。充填材は、発泡材料または充填可能な他の材料であってもよいが、これに限定されない。これらの充填材は、上述した水道電気管路が配置された後に上記の第１間隔空間６内及び第２間隔空間７内に充填される。
【００２２】
図９は、本発明の他のスタンド１を示し、図１０は、本発明のまた他のスタンド１を示している。各スタンド１の屈曲部１４には、少なくとも１つの弾性シート１７、１７ａが設置されている。弾性シート１７、１７ａが溝１４１内から突出することで、インナープレート３は、屈曲部１４と弾性シート１７、１７ａとの間に弾性的に挟着されることができる。図９に示すように、弾性シート１７は、一部分が側板１３に固定され、他の部分が溝１４１内に延びるようになっている。図１０に示すように、弾性シート１７ａは、屈曲部１４を打ち抜きして得られる。また、図９、図１０に示す弾性シート１７、１７ａは、複数設置されてもよい。挿入孔１４３ａを延在板１４２の延び箇所の他方に開設することにより、位置決め部材１４４ａは、挿入孔１４３ａに挿入されて延在板１４２と共に他のインナープレート３を挟着することができる。
【００２３】
図１１乃至図１３は、本発明の第２実施形態に係る仕切り壁を示している。第２実施形態に係る仕切り壁には、水道電気管路（図示せず）が配置されている。本発明の第２実施形態の構成は、第１実施形態とほぼ同じであるが、図に示すように、上記の水道電気管路が通り抜けるマニホールド孔２０３を横桟２に増設したことが異なっている。
【００２４】
図１１及び図１２に示すように、横桟２は、２つの側面板２０１と１つの中間板２０２とを含んで、逆Ｕ字状の棒体に形成されている。２つの側面板２０１は、対向するように設置されている。中間板２０２は、２つの側面板２０１の一辺同士の間に連結されている。さらに、中間板２０２には、上記のマニホールド孔２０３が開設されて、水道電気管路の通り抜けに使用される。横桟２は、第１横桟２１及び第２横桟２２を含んでもよい。この場合、第１横桟２１及び第２横桟２２には、水道電気管路が通り抜けるための上記のマニホールド孔２０３がそれぞれ開設されている。
【００２５】
図１３に示すように、第１アウタプレート４とインナープレート３との間には、第１間隔空間６が形成され、第２アウタプレート５とインナープレート３との間には、第２間隔空間７が形成されている。第１間隔空間６内には、第１横桟２１のマニホールド孔２０３を通り抜ける第１水道電気管路（図示せず）が配置されてもよい。第２間隔空間７内には、第２横桟２２のマニホールド孔２０３を通り抜ける第２水道電気管路（図示せず）が配置されてもよい。このため、インナープレート３を破壊しなくても第１、第２水道電気管路を配置することができ、さらに第１間隔空間６と第２間隔空間７とは、完全に連通していない。
【００２６】
図１４乃至図１９は、本発明の第３実施形態に係る仕切り壁を示している。第３実施形態の構成は、第１実施形態とほぼ同じであるが、横桟２の両端に引掛金具２３を増設して横桟構造（符号なし）を形成することが異なっている。ここで、各図において、最も外側に位置するのは、２つのスタンド１である。この２つのスタンド１の間には、複数の中間スタンド1ａが位置している。さらに、第１パネル１１と側板１３との間、及び、第２パネル１２と側板１３との間には、凹溝１６がそれぞれ形成されている。
【００２７】
横桟構造は、横桟２と、横桟２の両端に設置される２つの引掛金具２３とを含んでいる。図１６に示すように、各引掛金具２３は、摩擦力を持つ引掛板体２３１を含んでいる。引掛板体２３１の少なくとも二辺は、摩擦によって各スタンド１の凹溝１６内に掛止されて固定されている。
【００２８】
本実施形態において、図１６に示すように、横桟２は、２つの側面板２０１と１つの中間板２０２とを含む逆Ｕ字状の棒体である。２つの側面板２０１は、対向するように設置されている。中間板２０２は、２つ側面板２０１の一辺同士の間に連結されている。さらに、横桟２により、複数のスタンド１の第１パネル１１を面一にするとともに、複数のスタンド１の第２パネル１２を面一にして、第１アウタプレート４及び第２アウタプレート５を容易に固定することができる。
【００２９】
各引掛金具２３は、プラスチック製引掛金具であってもよい。図１６に示すように、各引掛金具２３は、引掛板体２３１の一方側に間隔を空けて隣接する挟板２３２と、引掛板体２３１及び挟板２３２の同じ側の辺を連結する連結体２３３とをさらに含んでいる。図１７に示すように、引掛板体２３１と挟板２３２との間には、挟持部２３４が形成されている。各引掛金具２３の挟持部２３４は、横桟２の各端の中間板２０２に着脱可能に挟持されている。
【００３０】
図１５、図１８及び図１９に示すように、各スタンド１の凹溝１６は、屈曲部１４によって仕切られた第１凹溝１６１及び第２凹溝１６２を含んでいる。横桟２の両端の２つの引掛金具２３は、各スタンド１の第１凹溝１６１内または各スタンド１の第２凹溝１６２内に選択的に引掛けられる。その場合、引掛板体２３１の互いに対応する二辺は、各スタンド１の第１パネル１１と屈曲部１４とそれぞれ摩擦するか、または、屈曲部１４と第２パネル１２とそれぞれ摩擦する。引掛金具２３の連結体２３３も摩擦力をもつことが好ましい。こうすることで、連結体２３３も、摩擦によって第１凹溝１６１内または第２凹溝１６２内に掛止され、これにより、連結体２３３の外側は、各スタンド１の側板１３の内側と摩擦することができる。図１９に示すように、第１凹溝１６１の幅Ｗ２または第２凹溝１６２の幅Ｗ２は、スタンド１の幅Ｗ１の半分よりも狭いため、引掛金具２３と第１凹溝１６１の間の摩擦力の発生、及び引掛金具２３と第２凹溝１６２の間の摩擦力の発生に寄与する。
【００３１】
図１４及び図１５に示すように、本発明に係る仕切り壁において、上記の２つのスタンド１の間に設置される複数の中間スタンド１ａは、互いに間隔を空けて設置されている。各中間スタンド１ａの構成は、スタンド１と同じであるが、上記の横桟２が挿通されるための貫通孔１５を各中間スタンド１ａに増設したことが異なっている。各中間スタンド１ａの第１側板１３１と第２側板１３２とには、第１貫通孔１５１と第２貫通孔１５２とがそれぞれ開設されている。横桟２は、２つの中間スタンド１ａの間に選択的に挿通されている。
【００３２】
また、図１４及び図１５に示すように、インナープレート３の一辺が１つのスタンド１の延在板１４２に位置決めされ、インナープレート３の他辺が他の１つのスタンド１の延在板１４２に位置決めされている。当然ながら、この２つのスタンド１の一方を逆方向に設置する（図示せず）と、インナープレート３の一辺が１つのスタンド１の溝１４１内に挿入され、インナープレート３の他辺が他の１つのスタンド１の延在板１４２に位置決めされている。
【００３３】
図２０は、本発明の別の構造のスタンドの断面図である。図２０に示すスタンド１は、上述した断面Ｅ字状のスタンド１と異なり、断面が互いに背面して結合されるダブルＥ字状を成し、且つ、他の延在板１４５が増設されて上記の溝１４１を形成している。このような構成を有するスタンド１の作用と効果は、上記の各種のスタンド１と同様なので、その説明は省略する。
【００３４】
図２１は、本発明の仕切り壁の施工方法の一実施形態を説明するフローチャートである。図１乃至図１０、及び図２１に示すように、本実施形態に係る仕切り壁の施工方法は、少なくとも２つのスタンドを組み立てるステップＳ９０１と、アウタプレートを固定するステップＳ９０３と、水道電気管路を配置するステップＳ９０５と、少なくとも１つのインナープレートを固定するステップＳ９０７と、他の水道電気管路を配置するステップＳ９０９と、他のアウタプレートを固定するステップＳ９１１とを含む。本実施形態では、図２１及び図２２に示されていないが、横桟を取り付けるステップ、及び充填材を充填するステップをさらに含む。本発明に係る仕切り壁は、上述したように、複数のスタンド１と、複数の横桟２と、複数のインナープレート３と、第１アウタプレート４及び第２アウタプレート５の２つのアウタプレートとを含んでいる。説明上の便宜のため、以下では、２つのスタンド１、第１横桟２１（または第２横桟２２）、インナープレート３、第１アウタプレート４及び第２アウタプレート５を含む仕切り壁の施工方法を例示して説明する。
【００３５】
少なくとも２つのスタンドを組み立てるステップＳ９０１では、図示されていない天井レールと床レールとの間に間隔を空けて２つのスタンド１を設置する。スタンド１の構成は、上記とおりである。
【００３６】
横桟を取り付けるステップでは、スタンド１の第１貫通孔１５１同士の間またはスタンド１の第２貫通孔１５２同士の間に横桟２を選択的に挿通し、例えば、第１横桟２１を２つのスタンド１の第１貫通孔１５１同士の間に挿通したり、第２横桟２２を２つのスタンド１の第２貫通孔１５２同士の間に挿通したりする。または、第１横桟２１と第２横桟２２とを交互にして第１貫通孔１５１同士の間、及び第２貫通孔１５２同士の間に挿通したり、第１横桟２１を第１貫通孔１５１同士の間に挿通するとともに、第２横桟２２を第２貫通孔１５２同士の間に挿通したりしてもよいが、これに限定されない。
【００３７】
１つのアウタプレートを固定するステップＳ９０３では、第１アウタプレート４を、２つのスタンド１の第１パネル１１同士の間に固定する。
【００３８】
１つの水道電気管路を配置するステップＳ９０５では、２つのスタンド１と第１アウタプレート４の内面との間に第１水道電気管路（図示せず）を配置する。
【００３９】
少なくとも１つのインナープレートを固定するステップＳ９０７では、インナープレート３（上記のインナープレート３と同様である）の左辺を左側のスタンド１の溝１４１内に挿入し、インナープレート３の右辺を右側のスタンド１の延在板１４２に位置決めし、これにより、第１アウタプレート４とインナープレート３の一面との間に、第１水道電気管路を収容するための第１間隔空間６を形成する。
【００４０】
他の水道電気管路を配置するステップＳ９０９では、２つのスタンド１とインナープレート３の他面との間に第２水道電気管路（図示せず）を配置する。
【００４１】
他のアウタプレートを固定するステップＳ９１１では、第２アウタプレート５を２つのスタンド１の第２パネル１２同士の間に固定し、これにより、第２アウタプレート５とインナープレート３の他面との間に、第２水道電気管路を収容するための第２間隔空間７を形成する。
【００４２】
充填材を充填するステップでは、上記の充填材を、上述した第１間隔空間６内及び第２間隔空間７内に充填する。
上述した施工ステップにより、本発明に係る仕切り壁（図７及び図８を参照）が実現される。
【００４３】
本実施形態の、少なくとも２つのスタンドを組み立てるステップＳ９０１では、屈曲部１４に挿入孔１４３を開設する。さらに、延在板１４２は、位置決め部材１４４に対応している。各位置決め部材１４４は、側板１３の上記の一方向に平行して各スタンド１の挿入孔１４３内に挿入されている。インナープレート３の二辺は、１つのスタンド１の溝１４１と位置決め部材１４４との間、及び他の１つのスタンド１の延在板１４２と位置決め部材１４４との間にそれぞれ挟着されている。
【００４４】
図２２は、本発明の仕切り壁の施工方法の他の実施形態を説明するフローチャートである。本実施形態の構成は、上記の施工方法の実施形態とほぼ同じであるが、ステップのみで異なっている。本実施形態の仕切り壁の施工方法は、以下のステップを含む。
【００４５】
少なくとも２つのスタンドを組み立てるステップＳ９０２を含み、ここで、スタンド１の構成は、上述したとおりである。
【００４６】
少なくとも１つのインナープレートを固定するステップＳ９０４では、インナープレート３の二辺を２つのスタンド１の間にそれぞれ固定する。詳細には、インナープレート３の左辺を左側のスタンド１の溝１４１内に挿入し、インナープレート３の右辺を右側のスタンド１の延在板１４２に位置決めする。
【００４７】
２つの水道電気管路を配置するステップＳ９０６では、第１水道電気管路と第２水道電気管路とをインナープレート３の２つの面にそれぞれ配置する。
【００４８】
２つのアウタプレートを固定するステップＳ９０８では、第１アウタプレート４と第２アウタプレート５とを、２つのスタンド１の第１パネル１１同士の間と２つのスタンド１の第２パネル同士の間とにそれぞれ固定して、第１アウタプレート４とインナープレート３の一面との間に、第１水道電気管路を収容するための第１間隔空間６を形成し、第２アウタプレート５とインナープレート３の他面との間に、第２水道電気管路を収容するための第２間隔空間７を形成する。
【００４９】
以上により、従来技術に比べて、本発明によれば、次のような効果がある。
１．インナープレート３を破壊することなく、第１間隔空間６内及び第２間隔空間７内に、第１水道電気管路及び第２水道電気管路をそれぞれ配置することができるため、第１間隔空間６と第２間隔空間７とが互いに完全に連通していない。さらに、第１間隔空間６と第２間隔空間７との間は、インナープレート３によって完全に遮断されるため、優れた遮音性能が得られる。特に、インナープレート３が遮音材料から製造された場合には、最適な遮音性能を備える。
２．インナープレート３を組み立てる場合には、ねじロック部材で締めたり、二次加工したりすることなく、インナープレート３の一辺を溝１４１内に挿入し、インナープレート３の他辺を延在板１４２に当接させ、最後、位置決め部材１４４を挿入すればよい。そのため、インナープレート３の組立の施工がしやすくなる。さらに、第１アウタプレート４及び第２アウタプレート５とインナープレート３との間に、それぞれ第１間隔空間６と第２間隔空間７とを形成することにより、施工を容易に進行することができる。
３．屈曲部１４及び延在板１４２によりＥ字状のスタンド１が構成される。従来のＵ字状のスタンドに比べて、本発明のＥ字状のスタンド１は、構造強度を大幅に増強することができる。
４．第１間隔空間６及び第２間隔空間７により、広い施工空間を確保することができる。インナープレート３は、ねじロック部材によって固定されるものではないため、容易に交換可能となり、例えば、遮音材料、防火材料、または発泡材料等のインナープレート３に交換されることができる。さらに、必要に応じて、インナープレート３のサイズを調整することができるため、汎用性に優れている。
５．横桟２（第１横桟２１、第２横桟２２）については、必要に応じて、第１横桟２１あるいは第２横桟２２のみを取り付けたり、第１横桟２１及び第２横桟２２を交互にして取り付けたり、または、第１横桟２１及び第２横桟２２を同時に取り付けたりすることができる。
６．第１間隔空間６内及び第２間隔空間７内に配置される第１水道電気管路及び第２水道電気管路は、第１横桟２１及び第２横桟２２のマニホールド孔２０３をそれぞれ通り抜けることができる。そのため、従来の遮音材料または本発明のインナープレート３を破壊しなくても、第１、第２水道電気管路を配置することができる。第１間隔空間６と第２間隔空間７とは、互いに完全に連通していない。さらに、第１間隔空間６と第２間隔空間７との間には、インナープレート３によって完全に遮断されるため、優れた遮音性能を備える。特に、インナープレート３は、遮音材料から製造された場合に最適な遮音性能を備えて、比較的に施工をしやすいという効果がある。
７．第１横桟２１及び第２横桟２２によって、複数のスタンド１の第１パネル１１を面一にするとともに、複数のスタンド１の第２パネル１２を面一にして、第１アウタプレート４及び第２アウタプレート５を容易に固定することができる。
８．横桟２の両端に引掛金具２３をそれぞれ設置することにより、横桟２の両端はスタンドの貫通孔１５１、１５２に挿通されなくても、摩擦によってスタンド１の凹溝１６１、１６２内に掛止されて固定されることができ、さらに横桟２がスタンド１から突出しなくなる。
【００５０】
以上、本発明の好ましい実施形態を挙げて説明したが、これは本発明の実施形態に過ぎない。説明した実施形態は、本発明の範囲を限定するものではないことが理解されたい。当業者であれば本発明の技術的思想及び概念に含まれる各種の変更や置換は、本発明の保護を求める範囲内に属するものである。
【符号の説明】
【００５１】
１                スタンド
１ａ              中間スタンド
１１              第１パネル
１２              第２パネル
１３              側板
１３１            第１側板
１３２            第２側板
１４              屈曲部
１４１            溝
１４２            延在板
１４３、１４３ａ  挿通孔
１４４、１４４ａ  位置決め部材
１４５            他の延在板
１５              貫通孔
１５１            第１貫通孔
１５２            第２貫通孔
１６              凹溝
１６１            第１凹溝
１６２            第２凹溝
１７、１７ａ      弾性シート
２                横桟
２０１            側面板
２０２            中間板
２０３            マニホールド孔
２１              第１横桟
２２              第２横桟
２３              引掛金具
２３１            引掛板体
２３２            挟板
２３３            連結体
２３４            挟持部
３                インナープレート
４                第１アウタプレート
５                第２アウタプレート
６                第１間隔空間
７                第２間隔空間
Ｗ１、Ｗ２        幅
【図１】
0005918318.tif 000002
【図２】
0005918318.tif 000003
【図３】
0005918318.tif 000004
【図４】
0005918318.tif 000005
【図５】
0005918318.tif 000006
【図６】
0005918318.tif 000007
【図７】
0005918318.tif 000008
【図８】
0005918318.tif 000009
【図９】
0005918318.tif 000010
【図１０】
0005918318.tif 000011
【図１１】
0005918318.tif 000012
【図１２】
0005918318.tif 000013
【図１３】
0005918318.tif 000014
【図１４】
0005918318.tif 000015
【図１５】
0005918318.tif 000016
【図１６】
0005918318.tif 000017
【図１７】
0005918318.tif 000018
【図１８】
0005918318.tif 000019
【図１９】
0005918318.tif 000020
【図２０】
0005918318.tif 000021
【図２１】
0005918318.tif 000022
【図２２】
0005918318.tif 000023